(57)【要約】【課題】他の機器の電源を確保しつつ複数の通信機器による電力通信を可能とする。【解決手段】ハウジング１下面には通信ケーブルの先端に付設されているモジュラプラグが各々挿抜自在に接続される複数のモジュラジャック３の差込口３ａが設けられ、ハウジング１の上面には複数対の栓刃挿入口２０，２０が列設されている。ハウジング１内には電源ケーブル４を介して電力線に接続される複数対の刃受け２１，２１や通信インタフェース部５が収納される。而して、複数のモジュラジャック３に接続される通信ケーブルを介してコンピュータ等の複数の通信機器により電力線通信を行うことができ、しかも、ハウジング１上面に設けられた栓刃挿入口２０にコンピュータ等の機器の電源プラグの栓刃を挿入すれば、ハウジング１内の刃受け２１並びに電源ケーブル４を介して上記機器に給電することが可能である。【選択図】        図１
2006319665.tif 000002
【特許請求の範囲】
【請求項１】
先端に付設された電源プラグをコンセントに差込接続することで屋内に配線された電力線と接続される電源ケーブルと、略箱形に形成され電源ケーブルが内部に引き込まれるハウジングと、ハウジング内に収納され電源ケーブルに接続された電力線を介して電力線通信用の信号を変復調する電力線通信用モデムと、ハウジング内に収納され電力線通信用モデムと通信機器とのインタフェースを行う通信インタフェースと、ハウジングの表面に設けられ通信機器と通信インタフェースとを接続する通信ケーブルが各々挿抜自在に挿着される複数のコネクタと、ハウジング内に収納され電源ケーブルを介して互いに電力線に並列接続される複数対の刃受けとを備え、他の機器の電源プラグの栓刃を挿入して刃受けに接続するための複数対の栓刃挿入口がハウジングの表面に設けられたことを特徴とする電力線通信用配線器具。
【請求項２】
施工面にハウジングを固定するための永久磁石がハウジングの背面に露設されたことを特徴とする請求項１記載の電力線通信用配線器具。
【発明の詳細な説明】
【技術分野】
【０００１】
本発明は、オフィスや住宅等の屋内に配線された電力線を利用してデータ通信を行うための電力線通信用配線器具に関するものである。
【背景技術】
【０００２】
近年、オフィスや住宅においても複数台のコンピュータをつないだローカル・エリア・ネットワーク（ＬＡＮ）が急速に普及している。このようなＬＡＮにおいてコンピュータ間を接続する通信媒体として、通常、通信ケーブル（いわゆるＬＡＮケーブル）が用いられるが、既設のオフィスや住宅に新たにＬＡＮを導入する場合には配線工事の手間や費用を考慮して電波による無線方式が採用される場合もある（例えば、特許文献１参照）。
【特許文献１】特開２００５−７９９７７号公報
【発明の開示】
【発明が解決しようとする課題】
【０００３】
ところで、従来より給電用の屋内配線（電力線）を利用してデータ通信を行う電力線通信（Powre Line Communication）が提案されているが、かかる電力線通信には電力と通信用信号の重ね合わせや分離を行なう装置（ＰＬＣモデム）が必要であり、このようなＰＬＣモデムは、電源コードを介して壁面に設けられたコンセントに接続されるとともに通信ケーブルを介してコンピュータ等の通信機器に接続される。しかしながら、ＰＬＣモデムがコンセントを占有してしまうと、コンピュータや他の機器の電源を確保することが困難になってしまう。また、複数の通信機器を接続するときには、別途ハブなどの集線装置が必要である。
【０００４】
本発明は上記事情に鑑みてなされたものであり、その目的は、他の機器の電源を確保しつつ複数の通信機器による電力通信が可能である電力通信用配線器具を提供することにある。
【課題を解決するための手段】
【０００５】
請求項１の発明は、上記目的を達成するために、先端に付設された電源プラグをコンセントに差込接続することで屋内に配線された電力線と接続される電源ケーブルと、略箱形に形成され電源ケーブルが内部に引き込まれるハウジングと、ハウジング内に収納され電源ケーブルに接続された電力線を介して電力線通信用の信号を変復調する電力線通信用モデムと、ハウジング内に収納され電力線通信用モデムと通信機器とのインタフェースを行う通信インタフェースと、ハウジングの表面に設けられ通信機器と通信インタフェースとを接続する通信ケーブルが各々挿抜自在に挿着される複数のコネクタと、ハウジング内に収納され電源ケーブルを介して互いに電力線に並列接続される複数対の刃受けとを備え、他の機器の電源プラグの栓刃を挿入して刃受けに接続するための複数対の栓刃挿入口がハウジングの表面に設けられたことを特徴とする。
【０００６】
請求項２の発明は、請求項１の発明において、施工面にハウジングを固定するための永久磁石がハウジングの背面に露設されたことを特徴とする。
【発明の効果】
【０００７】
本発明によれば、複数対の刃受けを介して他の機器に給電することができ、また、複数のコネクタに対して通信ケーブルを介して複数の通信機器が接続できるため、他の機器の電源を確保しつつ複数の通信機器による電力通信が可能になるという効果がある。
【発明を実施するための最良の形態】
【０００８】
（実施形態１）
本実施形態の電力線通信用配線器具Ａ１は、図１に示すように先端に付設された電源プラグ４ａをコンセントに差込接続することで屋内に配線された電力線と接続される電源ケーブル４と、略箱形に形成され電源ケーブル４が内部に引き込まれるハウジング１とを備える。但し、以下の説明では図１（ａ）を基準として上下左右の向きを規定し、紙面に垂直な方向を前後方向と規定する。
【０００９】
ハウジング１は扁平な略箱形の合成樹脂成型品からなり、左側面から電源ケーブル４が引き込まれるとともに、下面には通信ケーブル（ＣＡＴ５のＬＡＮケーブル）の先端に付設されているコネクタ（ＲＪ−４５のモジュラプラグ）が各々挿抜自在に接続される８つの受け側コネクタ（ＲＪ−４５のモジュラジャック３）の差込口３ａが一列に並んで露出している。また、ハウジング１の上面には、他の機器の電源プラグの栓刃が挿入される複数対（４対）の栓刃挿入口２０，２０が列設され（図１（ｃ）参照）、ハウジング１内には栓刃挿入口２０に挿入された栓刃を受ける複数対（４対）の刃受け２１，２１が収納されている。さらに、ハウジング１前面下部には複数の表示素子（発光ダイオード）ＬＤが露出している。
【００１０】
またハウジング１の背面における左右両端部には、それぞれ永久磁石１２，１２が露設されている。従って、図３に示すようにスチール製のデスクＤの側板等に永久磁石１２，１２を磁着することでハウジング１を施工面（デスクＤの側面）に固定することができる。
【００１１】
図２は電力線通信用配線器具Ａ１の回路構成を示すブロック図である。電源ケーブル４を介して電力線に接続される一対の電路に、合計４対の刃受け２１が並列に接続されるとともに、直流カット用のコンデンサＣ並びに絶縁トランスＴを介して通信インタフェース部５が接続され、さらにＡＣ／ＤＣコンバータからなる電源部６が接続されている。
【００１２】
通信インタフェース部５は、絶縁トランスＴの２次側に接続されて電力線との間で電力線通信用の信号（以下、通信信号と呼ぶ。）を送受信するための送受信部７と、電力線に重畳して伝送される所定形式の通信信号からデータ信号を復調する復調機能並びにコンピュータなどの通信機器側の送信データを所定形式の通信信号に変調する変調機能を有するＰＬＣモデム８と、各モジュラジャック３に接続される通信ケーブルを介して通信機器との間で１００ＢＡＳＥ−ＴＸなどの規格に準拠してデータ伝送を行うためのＬＡＮコントローラ９と、ＣＰＵを主構成要素とし、通信インタフェース部５全体の制御を行う制御部１０とを具備する。制御部１０は、例えばＰＬＣモデム８とＬＡＮコントローラ９との間で授受するデータ（パケット）のフィルタリングなどのセキュリティ機能や、データ伝送中であることを知らせるために表示部１１を制御して表示部１１が有する複数の表示素子ＬＤを発光させる機能等を有している。なお、通信インタフェース部５は電源部６で作成される直流電源によって動作する。
【００１３】
而して、本実施形態の電力線通信用配線器具Ａ１は、ＬＡＮコントローラ９に対して並列接続された複数のモジュラジャック３を具備することで集線装置（ハブ）としても機能するため、複数のモジュラジャック３に接続される通信ケーブルを介してコンピュータ等の複数の通信機器により電力線通信を行うことができ、しかも、ハウジング１上面に設けられた栓刃挿入口２０にコンピュータ等の機器の電源プラグの栓刃を挿入すれば、ハウジング１内の刃受け２１並びに電源ケーブル４を介して上記機器に給電することが可能である。
【００１４】
（実施形態２）
図４に本実施形態の平面図、図５に回路ブロック図、図６に斜視図をそれぞれ示す。但し、本実施形態の電力線通信用配線器具Ａ２の基本構成は実施形態１の電力線通信用配線器具Ａ１とほぼ共通であるから、共通の構成要素には同一の符号を付して説明を省略する。
【００１５】
本実施形態は、通信インタフェース部５における通信機器とＰＬＣモデム８とのインタフェースとして、実施形態１における１００ＢＡＳＥ−ＴＸの代わりにＵＳＢを用いる点に特徴がある。
【００１６】
図４（ｂ）に示すようにハウジング１の下面には、モジュラジャック３の差込口３ａの代わりに、通信ケーブル（ＵＳＢケーブル）の先端に付設されているＵＳＢコネクタの差込側（以下、ＵＳＢプラグと呼ぶ。）が挿抜自在に接続される複数（８つ）のＵＳＢコネクタの受け側（以下、ＵＳＢジャックと呼ぶ）１５の差込口１５ａが一列に並んで露出している。また、図５に示すようにＵＳＢジャック１５に接続される通信ケーブル（ＵＳＢケーブル）を介して通信機器との間でＵＳＢの規格に準拠してデータ伝送を行うためのＵＳＢコントローラ１６がＬＡＮコントローラ９の代わりに通信インタフェース部５に設けてある。
【００１７】
而して、本実施形態の電力線通信用配線器具Ａ２の各ＵＳＢジャック１５とパーソナルコンピュータのＵＳＢジャックをＵＳＢケーブルで接続すれば、複数台のパーソナルコンピュータがＵＳＢケーブルを介して電力線通信を行うことができる。
【図面の簡単な説明】
【００１８】
【図１】本発明の実施形態１を示し、（ａ）は正面図、（ｂ）は下面図、（ｃ）は上面図である。
【図２】同上の回路ブロック図である。
【図３】同上の斜視図である。
【図４】本発明の実施形態２を示し、（ａ）は正面図、（ｂ）は下面図、（ｃ）は上面図である。
【図５】同上の回路ブロック図である。
【図６】同上の斜視図である。
【符号の説明】
【００１９】
１  ハウジング
３  モジュラジャック
３ａ  差込口
４  電源ケーブル
５  通信インタフェース部
６  電源部
７  送受信部
８  ＰＬＣモデム
９  ＬＡＮコントローラ
２０  栓刃挿入口
【図１】
2006319665.tif 000003
【図２】
2006319665.tif 000004
【図３】
2006319665.tif 000005
【図４】
2006319665.tif 000006
【図５】
2006319665.tif 000007
【図６】
2006319665.tif 000008